(57)【特許請求の範囲】
【請求項１】
真珠光沢液体洗濯または硬質表面洗浄処理組成物であって、２０秒−１および２１℃で１．５Ｐａ・ｓ（１５００ｃｐｓ）以上の高剪断粘度および０．０５秒−１および２１℃で５Ｐａ・ｓ（５０００ｃｐｓ）を超える低剪断力粘度を提供するレオロジー変性剤、および無機真珠光沢剤を含み、前記無機真珠光沢剤が５０μｍ未満のＤ０．９９体積粒径を有し、前記レオロジー変性剤が水素添加ヒマシ油、水素添加ヒマシ油ワックスおよびこれらの混合物からなる群から選択される、真珠光沢液体洗濯または硬質表面洗浄処理組成物。
【請求項２】
前記無機真珠光沢剤が懸濁される媒質と前記無機真珠光沢剤の屈折率の差（ΔＮ）が０．０２を超える、請求項１に記載の真珠光沢液体洗濯または硬質表面洗浄処理組成物。
【請求項３】
前記無機真珠光沢剤が、雲母、金属酸化物被覆雲母、オキシ塩化ビスマス被覆雲母、オキシ塩化ビスマス、ガラス、金属酸化物被覆ガラスおよびこれらの混合物から成る群から選択される、請求項１または２に記載の真珠光沢液体洗濯または硬質表面洗浄処理組成物。
【請求項４】
前記無機真珠光沢剤が、雲母、チタン酸化物被覆雲母、酸化鉄被覆雲母、オキシ塩化ビスマスおよびこれらの混合物から選択される、請求項３に記載の真珠光沢液体洗濯または硬質表面洗浄処理組成物。
【請求項５】
アニオン性、非イオン性、カチオン性、双極性、両性界面活性剤およびこれらの混合物から成る群から選択される界面活性剤をさらに含む、請求項１〜４のいずれか１項に記載の真珠光沢液体洗濯または硬質表面洗浄処理組成物。
【請求項６】
前記界面活性剤が、アニオン性、非イオン性、カチオン性界面活性剤およびこれらの混合物から成る群から選択され、かつべタイン界面活性剤を含まない、請求項５に記載の真珠光沢液体洗濯または硬質表面洗浄処理組成物。
【請求項７】
前記界面活性剤が、直鎖または分枝鎖のＣ１２〜Ｃ２０アルキルサルフェート、アルキルアルコキシサルフェートまたはこれらの混合物、請求項５または６に記載の真珠光沢液体洗濯または硬質表面洗浄処理組成物。
【請求項８】
カチオン性界面活性剤類、シリコーン類、ポリオレフィンワックス類、ラテックス類、油性糖誘導体類、カチオン性多糖類、ポリウレタンおよびこれらの混合物から成る群から選択される洗濯ケア有益剤をさらに含む、請求項１〜７のいずれか１項に記載の真珠光沢液体洗濯または硬質表面洗浄処理組成物。
【請求項９】
前記組成物が水溶性フィルムに詰められる、請求項１〜８のいずれか１項に記載の真珠光沢液体洗濯または硬質表面洗浄処理組成物。
【請求項１０】
処理の必要な基材の処理方法であって、前記基材を、前記基材が処理されるように請求項１〜８のいずれか１項に記載の真珠光沢液体洗濯または硬質表面洗浄処理組成物と接触させる工程を含む、方法。
【発明の詳細な説明】
【技術分野】
【０００１】
本発明は液体組成物の分野に関し、好ましくは、真珠光沢剤および真珠光沢剤を安定的に懸濁可能なレオロジー変性剤を含む水性組成物に関する。
【背景技術】
【０００２】
液体処理組成物の調製においては、当該液体処理組成物の技術的能力および審美性を向上させることが常に目的である。本発明は、特に、液体組成物の従来の透明または不透明な審美性を改良する目的に関する。組成物の審美性を通して組成物の技術的能力を伝えることもまた、本発明の目的である。本発明は、組成物が真珠光沢を有するように見えるように光を伝達することの可能な光学的変性剤を含む液体組成物に関する。
【０００３】
真珠光沢は、真珠光沢剤を液体組成物に混合させ、懸濁させることによって得ることができる。真珠光沢剤は、雲母、オキシ塩化ビスマスおよび二酸化チタンなどの無機で天然の物質、および魚のうろこ、高級脂肪酸類、脂肪酸グリコールエステルおよび脂肪酸アルカノールアミドの金属塩などの有機化合物を含む。真珠光沢剤は、粒子、好適な懸濁剤に懸濁された真珠光沢剤の懸濁液として得ることができ、または、真珠光沢剤が結晶である場合はその場で製造されてもよい。
【０００４】
真珠光沢剤は微粒子であり、時間とともに懸濁液または液体組成物から分離する傾向がある。この問題の１つの解決策は、単純に組成物の粘度を増加させることである。しかしながら、液体洗濯組成物または硬質表面洗浄組成物の粘度は、特に高剪断では必然的に相対的に低く、その結果流れ出てしまう可能性がある。典型的に、洗濯組成物の粘度は、２０ｓ−１および２１℃で１．５Ｐａ・ｓ（１５００センチポアズ）未満である。一般に、かかる製品はまた低剪断での粘度は低く、その結果保管の際に任意の微粒子が液体組成物から分離して浮遊するまたは沈む傾向がある。どちらの場合であっても、製品の一部は光沢を有し一部は透明で均質であるというように、望ましくなく、不均一な製品外観となる。
【０００５】
液体洗濯および硬質表面洗浄用途に微粒子、特に真珠光沢剤を用いることにともなう別の問題は、処理する表面上への真珠光沢剤の付着が予想されることである。布地上、特に色の濃い布地上では、かかる付着または残基は肉眼で見ることができる。さらに、かかる付着または残基は、その性質上、光りの中で輝く傾向があるので人目をを引きやすい場合がある。食器類または床などの表面上においても、付着物は、表面が汚れているとの認識を消費者に与えるのと同じくらい魅力がない。食器類に関しては、消費者が食器類に付着した真珠光沢剤の外観を健康問題として捉える可能性があるというさらなる潜在的問題がある。
【０００６】
真珠光沢剤脂肪酸グリコールエステルを含む洗剤組成物および真珠光沢分散は、次の文献に開示されている：ＵＳ４，７１７，５０１（花王（Kao））；ＵＳ５，０１７，３０５（ヘンケル（Henkel））；ＵＳ６，２１０，６５９（ヘンケル））；ＵＳ６，８３５，７００（コグニス（Cognis））。真珠光沢剤を含有する液体洗剤組成物は、ＵＳ６，９５６，０１７（プロクター・アンド・ギャンブル（Procter & Gamble））に開示されている。デリケートな衣類を洗浄するための真珠光沢剤を含有する液体洗剤が、ＥＰ５２０５５１Ｂ１（ユニリバー（Unilever））に開示されている。
【発明の開示】
【発明が解決しようとする課題】
【０００７】
当該技術分野における進歩にもかかわらず、液体洗濯組成物および硬質表面洗浄処理組成物中に真珠光沢剤を安定して懸濁させること、および処理される表面上の付着または残基の外観を回避することに関する課題が残っている。
【課題を解決するための手段】
【０００８】
本発明によると、２０秒−１、２１℃で０．００１〜１．５Ｐａ・ｓ（１〜１５００ｃｐｓ）の高剪断粘度、および０．０５秒−１、２１℃で５Ｐａ・ｓ（５０００ｃｐｓ）を超える低剪断力粘度を提供するレオロジー変性剤、およびＤ０．９９体積粒径が５０μｍ未満の真珠光沢剤、を含む洗濯組成物または硬質表面洗浄組成物として使用するのに好適な真珠光沢液体処理組成物が提供される。
【０００９】
本発明の別の実施形態によると、２０秒−１、２１℃で０．００１〜１．５Ｐａ・ｓ（１〜１５００ｃｐｓ）の高剪断粘度、および０．０５秒−１、２１℃で５Ｐａ・ｓ（５０００ｃｐｓ）を超える低剪断力粘度を提供するレオロジー変性剤、および真珠光沢剤を含む真珠光沢液体処理組成物であって、真珠光沢剤が懸濁される媒質と真珠光沢剤の屈折率（ΔＮ）の差が０．０２を超える真珠光沢液体処理組成物が提供される。
【発明を実施するための最良の形態】
【００１０】
本発明の液体組成物は洗濯組成物または硬質表面洗浄組成物として使用するのに好適である。洗濯処理組成物という用語は、洗浄組成物、および柔軟組成物またはコンディショニング組成物を包含する、洗濯処理に使用されるすべての液体組成物を含むことを意味している。硬質表面処理組成物という用語は、台所または浴室表面などの硬質表面、並びに手動または自動食器洗い作業における食器および調理器具の処理に使用されるすべての液体組成物を含むことを意味している。
【００１１】
本発明の組成物は液体であるが、容器に詰められていても、またはカプセル封入されたおよび／または単位化された容量として包装されていてもよい。後者の形体は以下により詳細に記載される。液体組成物は水性または非水性であり得る。組成物が水性の場合、２〜９０％の水、より好ましくは２０％〜８０％の水、最も好ましくは２５％〜６５％の水を含み得る。非水性組成物は、１２％未満の水、好ましくは１０％未満、最も好ましくは９．５％未満の水を含む。水溶性フィルム内に包囲された液体組成物を含む単位化された容量製品で使用される組成物は、多くの場合非水性と記載されている。この用途のための本発明による組成物は、２％〜１５％の水、より好ましくは２％〜１０％の水、最も好ましくは４％〜９％の水を含む。
【００１２】
本発明の組成物の好ましい粘度は、２０秒−１および２１℃で１〜１−１５００ｍＰａ・ｓ（１５００センチポアズ）、より好ましくは１００〜１０００ｍＰａ・ｓ（１００〜１０００センチポアズ）、および最も好ましくは２００〜５００ｍＰａ・ｓ（２００〜５００センチポアズ）である。粘度は従来の方法により測定可能である。しかしながら、本発明による粘度は、直径４０ｍｍおよび間隙寸法が５００μｍの平板の鋼製主軸を用いるティー・エイ・インスツルメント社（TA instruments）のＡＲ５５０レオメーターを使用して測定する。２０秒−１での高剪断粘度および０．０５秒−１での低剪断力粘度は、２１℃で３分間の０．１−１〜２５−１の対数剪断速度掃引（logarithmic shear rate sweep）から得ることができる。そこに記載される好ましいレオロジーは、洗剤成分を有する内部に存在する構造化を用いてまたは外部のレオロジー変性剤を採用することにより達成し得る。より好ましくは、洗濯洗剤液体組成物は、約０．１Ｐａ・ｓ〜１．５Ｐａ・ｓ（１００センチポアズ〜１５００センチポアズ）、より好ましくは、約０．１Ｐａ・ｓ〜１Ｐａ・ｓ（約１００〜１０００ｃｐｓ）の高剪断速度を有する。単位用量の洗濯洗剤液体組成物は、０．４〜１Ｐａ・ｓ（４００〜１０００ｃｐｓ）の高剪断速度を有する。洗濯柔軟組成物は、０．０１〜１、より好ましくは０．０１〜０．８Ｐａ・ｓ（１０〜１０００、より好ましくは１０〜８００ｃｐｓ）、最も好ましくは０．０１〜０．５Ｐａ・ｓ（１０〜５００ｃｐｓ）の高剪断速度を有する。手洗い用食器洗い組成物は、０．３〜４Ｐａ・ｓ（３００〜４０００ｃｐｓ）、より好ましくは０．３〜１Ｐａ・ｓ（３００〜１０００ｃｐｓ）の高剪断速度を有する。
【００１３】
真珠光沢剤が添加される組成物は、好ましくは透明または半透明であるが、不透明であってもよい。（真珠光沢剤を添加する前の）組成物の絶対濁度は、好ましくは、比濁計タイプの濁度計で測定して５〜３０００ＮＴＵである。本発明による濁度は、検体ＮＥＰ１６０を用いてマクバン・インスツルメント（McVan Instruments）（オーストラリア）のプローブＮＥＰ２６０によって測定する。本発明の一実施形態において、２８００ＮＴＵを超える濁度の組成物でさえも真珠光沢物質の適量を用いて真珠光沢とすることができることが見出された。しかしながら、組成物の濁度を増加すると組成物を通る光線透過率が減少することを本出願者らは見い出した。光線透過率のこの減少により、真珠光沢粒子の極々少数だけが光を透過する結果となり、真珠光沢効果の減少をさらにもたらすことになる。こうして本出願者らは、高レベルの真珠光沢剤を添加することによりこの効果をある程度まで改善することが可能であることを見出した。しかしながら、閾値が濁度３０００ＮＴＵに達すると、その後さらに真珠光沢剤を追加しても真珠光沢効果のレベルを向上させることはできない。
【００１４】
本発明の液体は、当該液体を脱塩水に１％の濃度まで溶解したときに、好ましくは３〜１０、より好ましくは５〜９、さらにより好ましくは６〜９、最も好ましくは７．１〜８．５のｐＨを有する。
【００１５】
真珠光沢剤
本発明の真珠光沢剤は、真珠光沢効果を生み出すために光を反射および回折することの可能な、結晶性またはガラス状固体、透明または半透明の化合物である。典型的には、真珠光沢剤は、それらが組み込まれる組成物中に不溶性の結晶性粒子である。好ましくは、真珠光沢剤の形状は薄いプレート状または球体である。本発明による球体は、概ね球形状であると解釈されるされるべきである。粒径は、球体の最も大きい直径を横切って測定される。プレート状の粒子は、粒子の２つの寸法（長さと幅）が第三次元（深さまたは厚さ）の少なくとも５倍である。その他の結晶形状の立方体または針状結晶、或いはその他の結晶形状は真珠光沢効果を示さない。雲母のような多くの真珠光沢剤は、単斜晶の結晶を有する天然鉱物である。形状は真珠光沢剤の安定性に影響を及ぼすと思われる。球形状、さらにより好ましくはプレート状真珠光沢剤が最も成功裏に安定する。
【００１６】
真珠光沢剤は文献において既知であるが、一般にはシャンプー、コンディショナー、またはパーソナルクレンジング用途に使用される。真珠光沢剤は、組成物に真珠質層外観を付与する物質として記載されている。真珠光沢の機構は、Ｒ．Ｌ．クロンビーによってインターナショナル・ジャナル・オブ・コスメチック・サイエンス（International Journal of Cosmetic Science）（第１９刊、２０５〜２１４ページ）に記載されている。理論に束縛されるものではないが、以下の図に示されるように、真珠光沢は光の正反射によって生成されると考えられる。組成物中に本質的に互いに平行に異なるレベルで位置したときに真珠の板状体または球体から反射する光が、深みおよび艶感を作り出す。一部の光は真珠光沢剤に反射し、残りは真珠光沢剤を通過する。真珠光沢剤を通過する光は、そのまま通過する場合または反射する場合がある。反射し、回折した光は異なる色、白色度および艶を生成する。
【００１７】
（図１）
0005586946.tif 000002
真珠光沢剤のＤ０．９９（場合によりＤ９９と言う）は、好ましくは５０μｍ未満体積粒径を有する。より好ましくは、真珠光沢剤のＤ０．９９は４０μｍ未満、最も好ましくは３０μｍ未満を有する。最も好ましくは、粒子の体積粒径は１μｍを超える。最も好ましくは、真珠光沢剤は０．１μｍ〜５０μｍ、より好ましくは０．５μｍ〜２５μｍ、最も好ましくは１μｍ〜２０μｍの粒径分布を有する。Ｄ０．９９は、粒径分布に関する粒径の測定値であり、この場合には粒子の９９％が５０μｍ未満の体積粒径を有することを意味している。体積粒径および粒径分布は、マルバーン・インスツルメント社（MalvernInstruments Ltd）より入手可能なハイドロ（Hydro）２０００Ｇ装置を用いて測定する。粒径は真珠光沢剤の安定性をもたらす役割を有している。粒径および分布が小さいほど容易に懸濁される。しかしながら、真珠光沢剤の粒径を小さくするとその効果が低減する。
【００１８】
理論に束縛されるものではないが、本出願人は、真珠光沢剤のインターフェースおよび真珠光沢剤が懸濁される液状媒質での光の透過は、フレネル方程式に基づく物理法則に支配されると考えている。真珠光沢剤によって反射される光の割合は、真珠光沢剤と液状媒質との間の屈折率の差が大きくなるにつれて増加する。他の光はエネルギー保存にによって回折し、別の真珠光沢剤の面上に接触するまで液状媒質を透過する。それが確立されるには、真珠光沢剤を含有する組成物が目に見える真珠光沢を付与するために回折される光の量に比例して充分な光が反射されように、屈折率の差が充分高くなければならないと考えられる。
【００１９】
水の含有量が少なくて有機溶媒の含量が多い液体組成物は、典型的には、より水性である組成物と比較して高い屈折率を有する。したがって本出願人は、高屈折率を有するかかる組成物において、屈折率の高さが不十分な真珠光沢剤は、たとえ高濃度（典型的には３％超過）で当該組成物に導入されたときでも充分な可視の真珠光沢を付与しないことを見出した。したがって、製剤化にあたり顔料の濃度を合理的に低濃度に保つためには、高屈折率の真珠光沢顔料を使用するのが好ましい。したがって、真珠光沢剤の屈折率が１．４１超、より好ましくは１．８超、さらにより好ましくは２．０超であるように真珠光沢剤を選択するのが好ましい。好ましくは、真珠光沢剤と、真珠光沢剤が添加される組成物または媒質との間の屈折率の差は少なくとも０．０２である。好ましくは、真珠光沢剤と組成物との間の屈折率の差は少なくとも０．０２、より好ましくは少なくとも０．６である。本出願人らは、真珠光沢剤の屈折が高ければ高いほど真珠光沢効果を生成するのに効果的であることを見い出した。しかしながらこの効果はまた、真珠光沢剤と組成物の屈折率の差によっても左右される。差が大きいほど効果の認識度が高い。
【００２０】
本発明の液体組成物は、好ましくは組成物の０．０１％〜２．０重量％の１００％活性真珠光沢剤を含む。より好ましくは、液体組成物は、組成物の０．０１％〜０．５％、より好ましくは０．０１％０．３５％、さらにより好ましくは０．０１％〜０．２重量％の１００％能動的真珠光沢剤を含む。本出願人らは、組成物中の上記の粒径および濃度にもかかわらず、良好、および消費者の好む真珠光沢を液体組成物に放出することが可能であることを見い出した。
【００２１】
真珠光沢剤は有機または無機であってもよい。
【００２２】
有機真珠光沢剤：
好適な真珠光沢剤は、次の式を有するアルキレングリコールのモノエステルおよび／またはジエステルを含む：
【化１】
0005586946.tif 000003
（式中、Ｒ１は直鎖または分枝鎖のＣ１２〜Ｃ２２アルキル基；
Ｒは直鎖または分枝鎖のＣ２〜Ｃ４アルキレン基；
Ｐは、Ｈ、Ｃ１〜Ｃ４アルキルまたは−ＣＯＲ２から選択され、Ｒ２はＣ４〜Ｃ２２アルキル、好ましくはＣ１２〜Ｃ２２アルキル；および
ｎ＝１〜３である。）
本発明の一実施形態において、長鎖脂肪酸エステルは上記の一般構造を有し、式中、Ｒ１は直鎖または分枝鎖のＣ１６〜Ｃ２２アルキル基、Ｒは−ＣＨ２−ＣＨ２−、およびＰはＨまたは−ＣＯＲ２から選択され、Ｒ２はＣ４〜Ｃ２２アルキル、好ましくはＣ１２〜Ｃ２２アルキルである。
【００２３】
典型的な例は、約６〜約２２、好ましくは約１２〜約１８個の炭素原子を含有する脂肪酸、例えばカプロン酸、カプリル酸、２−エチルヘキサン酸、カプリン酸、ラウリン酸、イソトリデカン酸、ミリスチン酸、パルミチン酸、パルミトレイン酸、ステアリン酸、イソステアリン酸、オレイン酸、エライジン酸、ペトロセル酸、リノール酸、リノレン酸、アラキジン酸、ガドレイン酸、ベヘン酸、エルカ酸、およびこれらの混合物、を有するエチレングリコール、プロピレングリコール、ジエチレングリコール、ジプロピレングリコール、トリエチレングリコールまたはテトラエチレングリコールのモノエステルおよび／またはジエステルである。
【００２４】
一実施形態において、エチレングリコールモノステアレート（ＥＧＭＳ）および／またはエチレングリコールジステアレート（ＥＧＤＳ）および／またはポリエチレングリコールモノステアレート（ＰＧＭＳ）および／またはポリエチレングリコールジステアレート（ＰＧＤＳ）は、組成物に使用される真珠光沢剤である。これら物質の商業的供給源はいくつかある。例えば、ＰＥＧ６０００ＭＳ（登録商標）はステパン（Stepan）から入手可能であり、エンピラン（Empilan）ＥＧＤＳ／Ａ（登録商標）はオールブライト・アンド・ウィルソン（Albright & Wilson）から入手可能である。
【００２５】
別の実施形態において、真珠光沢剤は、重量比が約１：２〜約２：１のエチレングリコールジエステル／エチレングリコールモノエステルの混合物を含む。別の実施形態において、約６０：４０〜約５０：５０の重量比を有するＥＧＤＳ／ＥＧＭＳの混合物を含む真珠光沢剤は、水懸濁液中で特に安定することが分かっている。
【００２６】
共結晶化剤：
任意に、得られる生成物に真珠光沢粒子が生じるように、有機真珠光沢剤の結晶化を高める共結晶化剤が使用される。好適な共結晶化剤には、約１２〜約２２、好ましくは約１６〜約２２、およびより好ましくは約１８〜２０個の炭素原子を含有する、直鎖または分枝鎖の、任意にヒドロキシルで置換されたアルキル基を有する脂肪酸および／または脂肪族アルコール、例えば、パルミチン酸、リノール酸、ステアリン酸、オレイン酸、リシノール酸、ベヘニル酸、セテアリルアルコールＬ、ヒドロキシステアリールアルコール、ベヘニルアルコール、リノリルアルコール、リノレニルアルコール、およびこれらの混合物が挙げられるがこれらに限定されない。
【００２７】
共結晶化剤が有機真珠光沢剤よりも高い融点を有するように選択される場合、これら共結晶化剤と上記の有機真珠光沢剤の溶融混合物においては、典型的には共結晶化剤が最初に固結して均一に分布した微粒子を形成し、当該粒子は真珠光沢剤の続く結晶化の核の役割をする。有機真珠光沢剤および共結晶化剤間の割合を適切に選択することにより、生じる生成物の真珠光沢外観を改善するように得られる結晶の寸法を制御することが可能である。過剰な共結晶化剤を使用すると、得られる生成物がそれほど魅力的ではない真珠光沢外観およびより不透明な外観を示すことが分かっている。
【００２８】
一実施形態において、共結晶化剤が存在する場合、組成物は、１〜５重量％のＣ１２〜Ｃ２０脂肪酸、Ｃ１２〜Ｃ２０脂肪アルコール、またはこれらの混合物を含む。
【００２９】
別の実施形態において、有機真珠光沢剤と共結晶化剤との間の重量比は、約３：１〜約１０：１、または約５：１〜約２０：１の範囲である。
【００３０】
組成物を含有する有機真珠光沢剤を生成するために広く採用される方法の１つは、室温で固体の有機真珠光沢物質を使用する方法である。これら物質は当該物質の融点を超えるまで加熱され、組成物の調合剤に添加される。冷却すると、得られた組成物に真珠光沢の艶が現れる。しかしながらこの方法は、製造バッチ全体を真珠光沢物質の融解温度に相当する温度まで加熱しなければならず、生成物中の均一な真珠光沢は、均質溶融混合物を作製し、十分に制御された冷却および撹拌条件を適用することによってのみ得られるという不利な点を有し得る。
【００３１】
有機真珠光沢剤を組成物に混合させる、別の好ましい方法は、結晶化前の有機真珠光沢分散を用いることである。この方法は当業者には「コールドパール」として既知である。この別の方法では、長鎖脂肪酸エステルを溶融し、担体混合物と組み合わされ、担体中の最適な粒径に再結晶化する。担体混合物は、典型的には、界面活性剤、好ましくは２〜５０％の界面活性剤、および残りの水と任意の補助剤を含む。規定寸法の真珠光沢結晶は、界面活性剤担体混合物、混合および冷却条件を適切に選択することで得ることが可能である。コールドパールの製造方法は、米国特許第４，６２０，９７６号、同第４，６５４，１６３号（共にヘキスト社（Hoechest）に譲渡された）およびＰＣＴ国際公開特許ＷＯ２００４／０２８６７６（共にハンツマン・インターナショナル（Huntsman International）に譲渡された）に記載されている。多くのコールドパールが市販されている。これらには、ステパン（Stepan）、パール−２およびパール４（イリノイ州ノースフィールド（Norththfield, IL）のステパン社（Stepan Company）製造）、マックパール（Mackpearl）１５−ＤＳ、マックパールＤＲ−１０４、マックパールＤＲ−１０６（すべてイリノイ州シカゴ（Chicago, IL）のマッキンタイヤグループ社（McIntyre Group）製造）、オイパーラン（Euperlan）ＰＫ９００Ｂｅｎｚ−ＷおよびオイパーランＰＫ３０００ＡＭ（コグニス社（Cognis）製造））などの商品名が挙げられる。
【００３２】
有機真珠光沢剤を混合させる本発明の典型的な実施形態は、組成物の０．１％〜５重量％の有機真珠光沢剤、組成物の０．５％〜１０重量％の分散界面活性剤および任意に、水および任意に１以上の有期溶媒を含む溶媒系中の有効量の共結晶化剤、加えて、組成物の５％〜４０重量％の洗浄性界面活性剤、および組成物の少なくとも０．０１％、好ましくは少なくとも１重量％の１以上の洗濯補助剤物質、例えば、香料、芳香剤、柔軟仕上げ剤、酵素、漂白剤、漂白活性化剤、カップリング剤、またはこれらの組み合わせを含む組成物である。
【００３３】
共結晶化剤の「有効量」は、所与の処理パラメータ一式に基づいて所望の結晶寸法および真珠光沢剤の粒度分布を生成するのに十分な量である。いくつかの実施形態において、共結晶化剤の量は、有機真珠光沢剤１００重量部あたり５〜３０部の範囲である。
【００３４】
コールドパールの好適な分散界面活性剤にはアルキルサルフェート、アルキルエーテルサルフェート、およびこれらの混合物が挙げられ、アルキル基は直鎖または分枝鎖のＣ１２〜Ｃ１４アルキルである。典型的な例にはラウリル硫酸ナトリウムおよびラウリル硫酸アンモニウムが挙げられるがこれらに限定されない。
【００３５】
本発明の一実施形態において、組成物は、２０〜６５重量％の水；５〜２５重量％ナトリウムアルキルサルフェートアルキルサルフェートまたはアルキルエーテルサルフェート分散界面活性剤；および０．５〜１５重量％エチレングリコールモノステアレートおよびエチレングリコールジステアレートを１：２〜２：１重量比で含む。
【００３６】
本発明の別の実施形態において、組成物は、２０〜６５重量％の水；５〜３０重量％ナトリウムアルキルサルフェートまたはアルキルエーテルサルフェート分散界面活性剤；５〜３０重量％長鎖脂肪酸エステルおよび１〜５重量％Ｃ１２〜Ｃ２２脂肪族アルコールまたは脂肪酸で含み、長鎖脂肪酸エステルの脂肪族アルコールおよび／または脂肪酸に対する重量比は約５：１〜約２０：１、または約３：１〜約１０：１の範囲である。
【００３７】
本発明の別の実施形態において、組成物は、組成物の少なくとも約０．０１％、好ましくは約０．０１％〜約５重量％の真珠光沢剤、有効量の共結晶化剤、および次の１以上を含む：洗浄性界面活性剤；アニオン性染料用安定剤；水および有機溶媒を含む溶媒系。この組成物はその他の洗濯および布地ケア補助剤をさらに含む。
【００３８】
有機真珠光沢剤を混合させる製造プロセス：
コールドパールは、２〜５０％の界面活性剤、残部水およびその他の補助剤を含む担体を、有機真珠光沢剤および共結晶化剤の融点より高い温度（典型的には約６０〜９０℃、好ましくは約７５〜８０℃）まで加熱することにより製造される。有機真珠光沢剤および共結晶化剤を混合物に加えて約１０分〜約３時間混合する。任意に、続いて温度を約８０〜９０℃に挙げる。高剪断力ミル装置を使用して真珠光沢剤の所望の分散性液滴直径を生成してもよい。
【００３９】
混合物を約０．５〜５℃／分の冷却速度で冷却する。或いは、冷却は２段階の工程で行われ、当該工程は、ワンパス熱交換器に混合物を通過させることによる瞬間冷却工程、および混合物を約０．５〜５℃／分の速度で冷却する緩冷却工程を含む。長鎖脂肪酸エステルなどの真珠光沢剤の結晶化は、温度が約５０℃に達したときに開始し、混合物の粘度の実質的増加により結晶化が明らかとなる。混合物を約３０℃まで冷却し、撹拌を停止する。
【００４０】
続いて、得られたコールドパール結晶化前有機真珠光沢分散を、撹拌しながらおよび外部から熱を加えずに、液体組成物に混合させることができる。得られた生成物は魅惑的な真珠光沢の外観を有し、通常の保管条件下で何か月も安定している。換言すれば、得られた生成物はその真珠光沢外観を維持し、コールドパールは何か月もの間組成物マトリックスからの分離または層化を示さない。
【００４１】
無機真珠光沢剤：
無機真珠光沢剤は、雲母、金属酸化物被覆雲母、シリカ被覆雲母、オキシ塩化ビスマス被覆雲母、オキシ塩化ビスマス、ミリスチルミリステート、ガラス、金属酸化物被覆ガラス、グアニン、グリッター（ポリエステルまたは金属）およびこれらの混合物から成る群から選択される物質を有する。
【００４２】
好適な雲母には、白雲母またはカリウムアルミニウムフッ化水酸化物が挙げられる。雲母の板状体は、好ましくは金属酸化物の薄層でコーティングされる。好ましい金属酸化物は、ルチル、二酸化チタン、酸化第二鉄、酸化スズ、アルミナおよびこれらの混合物から成る群から選択される。結晶性真珠光沢の層は、約７３２℃で金属酸化物でコーティングされる焼成雲母によって形成される。熱は、樹脂に不溶性であり、安定色を有し、続く工程の熱的応力に耐える不活性色素を作り出す。
【００４３】
これら真珠光沢剤の色は、金属酸化物層の上面および下面から反射角で反射する光線の間の干渉を介して顕色する。視角が非視野角にシフトして真珠光沢の外観を与えると、真珠光沢剤は色の強さを失う。
【００４４】
より好ましくは、無機真珠光沢剤は、雲母およびオキシ塩化ビスマスおよびこれらの混合物から成る群から選択される。最も好ましくは、無機真珠光沢剤は雲母である。市販の好適な無機真珠光沢剤は、メルク社（Merck）から商品名Ｉｒｉｏｄｉｎ、Ｂｉｒｏｎ、Ｘｉｒｏｎａ、ＴｉｍｉｒｏｎＣｏｌｏｒｏｎａ、Ｄｉｃｈｒｏｎａ、Ｃａｎｄｕｒｉｎ、およびＲｏｎａｓｔａｒで入手可能である。その他の市販の無機真珠光沢剤は、ＢＡＳＦ社（英国、ミール（Engelhard, Mearl））からＢｉｊｕ、Ｂｉ−Ｌｉｔｅ、Ｃｈｒｏｍａ−Ｌｉｔｅ、Ｐｅａｒｌ−Ｇｌｏ、およびミーライト・アンド・エッカート社（MearliteおよびEckart）から商品名プレステージ・ソフト・シルバー（Prestige Soft Silver）およびプレステージ・シルク・シルバー・スター（Prestige Silk Silver Star）の商品名で入手可能である。
【００４５】
エチレングリコールモノステアレートおよびエチレングリコールジステアレートなどの有機真珠光沢剤は真珠光沢を提供するが、組成物が運動しているときのみである。したがって、組成物が注がれているときのみ真珠光沢を示す。無機真珠光沢物質は、動的および静的真珠光沢の両方を提供するので好ましい。動的真珠光沢は、組成物が動いているときに組成物が真珠光沢効果を示すことを意味する。静的真珠光沢は、組成物が静止しているときに組成物が真珠光沢効果を示すことを意味する。
【００４６】
無機真珠光沢剤は、粒子として、または適当な懸濁剤中の粒子のスラリーとして入手可能である。好適な懸濁剤はエチルヘキシルヒドロキシステアレート、硬化ヒマシ油を含む。粒子または粒子のスラリーは、任意の追加的工程段階の必要なく組成物に添加することが可能である。
【００４７】
レオロジー変性剤
本発明の好ましい実施形態において、組成物はレオロジー変性剤を含む。レオロジー変性剤は、非高分子結晶性、ヒドロキシ−機能材料、組成物の水性液体マトリックスにずり減粘特性を付与するポリマーレオロジー変性剤から成る群から選択される。かかるレオロジー変性剤は、好ましくは水性液体組成物に、２０秒−１、２１℃で０．００１〜１．５Ｐａ・ｓ（１〜１５００ｃｐｓ）の高剪断粘度、および低剪断力（２１℃で０．０５秒−１）で５Ｐａ・ｓ（５０００ｃｐｓ）超過の粘度を付与する物質である。本発明による粘度は、直径４０ｍｍおよび間隙寸法が５００μｍの平板の鋼製主軸を用いるティー・エイ・インスツルメント（TA instruments）社のＡＲ５５０レオメーターを使用して測定する。２０秒−１での高剪断粘度および０．５−１での低剪断力粘度は、２１℃で３分間の０．１−１〜２５−１の対数剪断速度掃引（logarithmic shear rate sweep）から得ることができる。結晶性、ヒドロキシ−機能材料は、マトリックス内のその場での結晶化の際に組成物のマトリックス全体にわたって糸状構造系を形成するレオロジー変性剤である。ポリマーレオロジー変性剤は、好ましくはポリアクリレート、高分子ゴム類、その他の非ゴム多糖類、およびこれら高分子材料の組み合わせから選択される。
【００４８】
本明細書の組成物にかかるレオロジー変性剤を添加する全般的な目的は、製品の濃さ、製品の注ぎやすさ、製品の光学特性、および／または粒子懸濁能力の点で適切に機能的であり、審美的に満足のいく液体組成物を見い出すことである。このように、レオロジー変性剤は一般に、液体製品の適切なレオロジー特性を確立する働きをし、容認できない光学特性または不必要な相分離などのあらゆる望ましくない特性を製品に付与することなく適切なレオロジー特性を確立する。一般に、レオロジー変性剤は、０．０１％〜１重量％、好ましくは０．０５％〜０．７５重量％、より好ましくは０．１％〜０．５重量％の本明細書の組成物を含む。
【００４９】
本明細書の組成物レオロジー変性剤構成成分は、「外部」または「内部」レオロジー変性剤として特徴付けることができる。好ましくは、本発明のレオロジー変性剤は内部レオロジー変性剤である。本発明の目的上、「外部」レオロジー変性剤は、主要機能として液体マトリックスの、レオロジー的変化を提供する物質である。したがって一般に、外部レオロジー変性剤は、それ自体ではいかなる布地洗浄または布地ケア効果も、或いは顕著な成分可溶化効果も提供しない。外部レオロジー変性剤は、したがって、マトリックスレオロジーを変化させることも可能であるが、いくつかの追加的主要目的のために液体製品に混合されてきた「内部」レオロジー変性剤とは異なる。したがって、例えば、好ましい内部レオロジー変性剤は、液体洗剤のレオロジー的性質を変化させるために作用し得るが、主に洗浄成分として作用するように製品に添加されてきたアニオン性界面活性剤である。
【００５０】
本発明の組成物の外部レオロジー変性剤は、特定のレオロジー特性を有する組成物に水性液体マトリックスを提供するために使用される。これらの特性のうち主要なものは、マトリックスが「ずり減粘」でなければならないということである。ずり減粘流体は、剪断力が流体に加わると低減する粘度を有するものである。したがって、液体洗剤製品の静止時、すなわち保存の間または輸送の間に、組成物の液体マトリックスは、相対的に高い粘度を有するべきである。しかし、容器から組成物を注ぐまたは絞り出すような行為において、剪断力が組成物に加わると、マトリックスの粘度は、流体製品の分配が容易且つ直ちに達成されるほどまで低減するべきである。
【００５１】
本明細書の組成物の静止時の粘度は、理想的には幾つかの目的を達成するのに十分なほど高い。これらの目的の主なものは、静止時の組成物が、本明細書の発明の別の必須成分である真珠光沢を適切に懸濁するために十分に粘稠であるべきであるということである。相対的に高い静止時の粘度の第２の効果は、薄くて弱い水っぽいものではなく、濃くて強い効果的な製品の外観を組成物に与える審美的なものである。最後に、液体マトリックスの必須のレオロジー特性は、組成物中に懸濁される審美的真珠光沢剤の可視度を不都合なほどに損なうことがない、すなわち、懸濁された不透明な審美的真珠光沢剤がわかりにくいほどマトリックスを不透明にすることがない外部レオロジー変性剤を介して提供されるべきである。
【００５２】
水または他の水性液体と組み合わされるとずり減粘流体を形成する物質は、一般に当該技術分野において既知である。そのような物質は、以上で記載されたレオロジー特性を有する水性液体マトリックスを形成するために使用できるものであれば、本明細書の組成物における使用のために選択できる。
【００５３】
本発明の組成物に特に有用である１種の構造剤は、その場でマトリックス中に結晶化されると、液体マトリックスの全体にわたって糸状構造系を形成することができる非高分子（従来のアルコキシル化を除く）結晶性ヒドロキシ官能物質を含む。そのような物質は、一般に、結晶性ヒドロキシル含有脂肪酸、脂肪酸エステルまたは脂肪ろうとして特徴付けできる。そのような物質は、以下の式を有するものから一般に選択される：
Ｉ）
【化２】
0005586946.tif 000004
式中：
【化３】
0005586946.tif 000005
Ｒ２は、Ｒ１またはＨであり；
Ｒ３は、Ｒ１またはＨであり；
Ｒ４は、独立して、少なくとも１つのヒドロキシル基を含むＣ１０〜Ｃ２２アルキルまたはアルケニルである；
ＩＩ）
【化４】
0005586946.tif 000006
式中：
【化５】
0005586946.tif 000007
Ｒ４は、上記ｉ）と同義であり；
Ｍは、Ｎａ＋、Ｋ＋、Ｍｇ＋＋若しくはＡｌ３＋、またはＨである）
ＩＩＩ）Ｚ−（ＣＨ（ＯＨ））ａ−Ｚ’
（式中、ａは２〜４、好ましくは２であり；ＺおよびＺ’は疎水基、特にＣ６〜Ｃ２０アルキル若しくはシクロアルキル、Ｃ６〜Ｃ２４アルカリール若しくはアラルキル、Ｃ６〜Ｃ２０アリールまたはこれらの混合物から選択される。）任意に、Ｚはエーテルまたはエステルと同様に、１個以上の非極性酸素原子を含有することができる。
【００５４】
式Ｉの種類の物質が好ましい。これらは、以下の式でより具体的に定義される：
【化６】
0005586946.tif 000008
式中：
（ｘ＋ａ）は１１〜１７からであり；
（ｙ＋ｂ）は１１〜１７からであり；および
（ｚ＋ｃ）は１１〜１７である。
【００５５】
好ましくは、この式においてｘ＝ｙ＝ｚ＝１０および／またはａ＝ｂ＝ｃ＝５である。
【００５６】
好ましい結晶性ヒドロキシル含有レオロジー変性剤の具体的な例には、ヒマシ油およびその誘導体が挙げられる。特に好ましいものは、硬化ヒマシ油および水素添加キャスター蝋などの硬化ヒマシ油誘導体である。市販のヒマシ油系結晶性ヒドロキシル含有レオロジー変性剤には、レオックス社（Rheox，Inc.）（現在のエレメンティス（Elementis））製のチキシン（THIXCIN）（登録商標）が挙げられる。
【００５７】
結晶性ヒドロキシル含レオロジー変性剤としての使用に好適である代替的な市販物質は、以上の式ＩＩＩのものである。この種類のレオロジー変性剤の例は、１，４−ジ−Ｏ−ベンジル−Ｄ−トレイトールのＲ，ＲおよびＳ，Ｓ形態、並びに光学的に活性であるかまたは活性ではない任意の混合物である。
【００５８】
前述したようなこれらの結晶性ヒドロキシル含有レオロジー変性剤はすべて、それらが本明細書の組成物の水性液体マトリックス内で、またはこうした水性液体マトリックスを形成するために用いられるプレミックス内で、その場で結晶化するときに、糸状構造系を形成することによって機能すると考えられている。そのような結晶化は、これらの物質の水性混合物をレオロジー変性剤の融点を超える温度に加熱し、続いて液体の攪拌を維持しながら混合物を室温に冷却することによりもたらされる。
【００５９】
特定の条件下では、結晶性ヒドロキシル含有レオロジー変性剤は、冷却すると、水性液体マトリックス中に糸状構造系を形成する。この糸状系は、繊維性または絡まった糸状の網状組織を含むことができる。「ロゼッタ」形態の非繊維性粒子も形成される可能性がある。この網状組織の粒子は、１．５：１〜２００：１、より好ましくは１０：１〜２００：１の縦横比を有することができる。そのような繊維および非繊維性粒子は、１ミクロン〜１００ミクロン、より好ましくは５ミクロン〜１５ミクロンの範囲の小さい寸法を有することができる。
【００６０】
これらの結晶性ヒドロキシル含有物質は、本明細書の洗剤組成物にずり減粘レオロジーを提供するのに、特に好ましいレオロジー変性剤である。これらは、組成物が望ましくないほど不透明性になりビーズの可視度が制限されることがないほどの低い濃度で、この目的に有効に使用できる。これらの物質およびこれらが形成する網状組織は、また、本明細書の組成物を液−液または固−液（当然ながらビーズおよび構造系粒子を除いて）相分離に対して安定化するのに役立つ。したがって、これらの使用は、配合者が、そうでなければ望ましくない相分離を最小限にするためにより高い濃度で使用しなければならなくなる可能性がある、比較的高価な非水性溶媒または相安定剤の使用を少なくすることを可能にする。これらの好ましい結晶性ヒドロキシル含有レオロジー変性剤、およびそれらの水性ずり減粘マトリックスへの組み込みは、米国特許第６，０８０，７０８号およびＰＣＴ国際公開特許ＷＯ０２／４０６２７でより詳細に記載されている。
【００６１】
以上で記載された非高分子結晶性ヒドロキシル含有レオロジー変性剤のほかに、他の種類のレオロジー変性剤が本明細書の液体洗剤組成物に利用されてもよい。また、水性液体マトリックスにずり減粘特性を提供する高分子物質が使用されてもよい。
【００６２】
好適な高分子レオロジー変性剤には、ポリアクリレート、多糖類または多糖類誘導体の種類のものが挙げられる。多糖類誘導体は、典型的には高分子ゴム類物質を含むレオロジー変性剤として使用される。そのようなゴム類には、ペクチン、アルギネート、アラビノガラクタン（アラビアゴム）、カラギーナン、ジェランガム、キサンタンガムおよびグアーガムが挙げられる。
【００６３】
本明細書においてポリマーレオロジー変性剤が採用される場合は、この種類の好ましい物質はジェランガムである。ジェランガムは、シュードモナセロディア（Pseudomonaselodea）ＡＴＣＣ３１４６１の発酵によって調製されるヘテロ多糖である。ジェランガムは、商標ケルコゲル（KELCOGEL）でＣＰケルコ（Kelco）Ｕ．Ｓ．社により市販されている。ジェランガムを調製する方法は、米国特許第４，３２６，０５２号、同第４，３２６，０５３号、同第４，３７７，６３６号および同第４，３８５，１２３号に記載されている。
【００６４】
さらなる代替え的および好適なレオロジー変性剤は溶媒とポリカルボキシレートポリマーの組み合わせである。より詳細には、溶媒は好ましくはアルキレングリコールである。より好ましくは溶媒はジプロピルグリコールである。好ましくは、ポリカルボキシレートポリマーは、ポリアクリレート、ポリメタクリレートまたはこれらの混合物である。溶媒は、好ましくは組成物の０．５〜１５％、好ましくは２〜９％の濃度で存在する。ポリカルボキシレートポリマーは、好ましくは組成物の０．１〜１０％、より好ましくは２〜５％の濃度で存在する。溶媒成分は、好ましくはジプロピレングリコール（dipropykeneglycol）と１、２−プロパンジオールの混合物を含む。ジプロピレングリコールの１，２−プロパンジオールに対する割合は、好ましくは３：１〜１：３、より好ましくは好ましくは１：１である。ポリアクリレートは、好ましくは不飽和モノ−またはジ−炭酸と（メタ）アクリル酸の１〜３０Ｃアルキルエステルのコポリマーである。別の好適な実施形態において、レオロジー変性剤は、不飽和モノ−またはジ−炭酸と（メタ）アクリル酸の１〜３０Ｃアルキルエステルのポリアクリレートである。かかるコポリマーは、ノベオン社（Noveon Inc）から商品名カーボポール・アクア（Carbopol Aqua）３０で入手可能である。
【００６５】
言うまでもなく、上記の詳細に記載した物質以外の任意のレオロジー変性剤を、もしかかるその他のレオロジー変性剤物質が、以上で記載した選択されたレオロジー特性を有する組成物を生成するのであれば、本明細書の水性液体洗剤組成物に使用することは可能である。ここでもまた、組成物の得られた液体マトリックスが以上で特定された注ぎ粘度、一定応力粘度および粘度比率値を有する限り、種々のレオロジー変性剤およびレオロジー変性剤の組み合わせもまた使用されてもよい。
【００６６】
任意の組成物成分
本発明の体組成物は、以下に記載の任意成分の一覧から選択されるその他の成分を含んでもよい。本明細書において以下に特に指定のない限り、特定の洗濯補助剤の「有効量」は、洗剤組成物の、好ましくは０．０１重量％から、より好ましくは０．１重量％から、さらにより好ましくは１％〜２０重量％、より好ましくは１５重量％まで、さらにより好ましくは１０重量％まで、さらにまたより好ましくは７重量％まで、最も好ましくは５重量％までである。
【００６７】
界面活性剤または洗浄性界面活性剤
本発明の組成物は、約１重量％〜８０重量％の界面活性剤を含んでよい。好ましくは、このような組成物は、約５重量％〜５０重量％の界面活性剤を含む。本発明の界面活性剤は２つの方法で使用され得る。第１に、本発明の界面活性剤上記のようにコールドパール有機真珠光沢剤用分散剤として使用することができる。第２に、それらは土壌懸濁液目的の洗浄性界面活性剤として使用することができる。
【００６８】
使用される洗浄性界面活性剤は、アニオン性、非イオン性、双極性、両性、若しくはカチオン性の種類のものにすることができ、または、相容性のこれらの種類の界面活性剤の混合物を含むことができる。より好ましくは界面活性剤は、アニオン性、非イオン性、カチオン性界面活性剤およびこれらの混合物から成る群から選択される。好ましくは、組成物は実質的にベタイン界面活性剤を含まない。本明細書で有用な洗浄性界面活性剤は、米国特許第３，６６４，９６１号（１９７２年５月２３日発行、ノリス（Ｎまたはｒｉｓ））、同第３，９１９，６７８号（１９７５年１２月３０日発行、ラフリン（Laughlin）ら）、同第４，２２２，９０５号（１９８０年９月１６日発行、コックレル（Cockrell））、および同第４，２３９，６５９号（１９８０年１２月１６日発行、マーフィー（Murphy））に記載されている。アニオン性および非イオン性の界面活性剤が好ましい。
【００６９】
有用なアニオン性界面活性剤は、それら自体が、いくつか異なる種類の界面活性剤になることができる。例えば、高級脂肪酸類の水溶性塩類、すなわち「石鹸類」は、本明細書の組成物において有用なアニオン性界面活性剤である。これには、約８〜約２４個の炭素原子、好ましくは約１２〜約１８個の炭素原子を含有する高級脂肪酸類の、ナトリウム塩、カリウム塩、アンモニウム塩、およびアルキルアンモニウム塩のような、アルカリ金属石鹸類が含まれる。石鹸類は、脂肪類および油類の直接鹸化によって、または遊離脂肪酸類の中和によって製造することができる。特に有用であるのは、ココヤシ油および獣脂から誘導される脂肪酸類の混合物のナトリウム塩およびカリウム塩、すなわち、ナトリウムまたはカリウム獣脂およびココヤシ石鹸である。
【００７０】
本明細書に用いるのに好適な、石鹸以外のさらなるアニオン性界面活性剤には、その分子構造内に約１０〜約２０個の炭素原子を含有するアルキル基とスルホン酸または硫酸エステル基とを有する有機イオウ反応生成物の、水溶性塩類、好ましくはアルカリ金属およびアンモニウム塩が含まれる。（用語「アルキル」には、アシル基のアルキル部分が含まれる。）この群の合成界面活性剤の例は、ａ）アルキル硫酸ナトリウム、アルキル硫酸カリウム、およびアルキル硫酸アンモニウム、特に、獣脂またはココヤシ油のグリセリド類の還元によって生成されるような高級アルコール類（Ｃ８〜Ｃ１８炭素原子）の硫酸化によって得られるもの；ｂ）アルキルポリエトキシレート硫酸ナトリウム、アルキルポリエトキシレート硫酸カリウム、およびアルキルポリエトキシレート硫酸アンモニウム、特に、アルキル基が１０〜２２個、好ましくは１２〜１８個の炭素原子を含有し、ポリエトキシレート鎖が１〜１５個、好ましくは１〜６個のエトキシレート部分を含有するもの；並びに、ｃ）アルキル基が直鎖若しくは分枝鎖構造中に約９〜約１５個の炭素原子を含有する、アルキルベンゼンスルホン酸ナトリウムおよびアルキルベンゼンスルホン酸カリウム、例えば、米国特許第２，２２０，０９９号および同第２，４７７，３８３号に記載の種類のものである。特に有用であるのが、アルキル基中の平均炭素原子数が約１１〜１３個の、直鎖アルキルベンゼンスルホネート類（Ｃ１１〜１３ＬＡＳと略される）である。
【００７１】
好ましい非イオン性界面活性剤は、Ｒ１（ＯＣ２Ｈ４）ｎＯＨの式で表されるものであり、式中、Ｒ１はＣ１０〜Ｃ１６のアルキル基またはＣ８〜Ｃ１２のアルキルフェニル基であり、ｎは３〜約８０である。特に好ましいのは、アルコール１モル当り約５〜約２０モルのエチレンオキシドを有するＣ１２〜Ｃ１５アルコールの縮合生成物であり、例えば、アルコール１モル当り約６．５モルのエチレンオキシドで縮合したＣ１２〜Ｃ１３アルコールが挙げられる。
【００７２】
布地ケア有益剤
本明細書の組成物の好ましい実施形態によると、布地ケア有益剤を含む。本明細書で使用する時、「布地ケア有益剤」は、衣類および布地に対して、特に綿および綿の豊富な衣類および布地上で、当該衣類／布地上に十分な量の当該物質が存在するときに、布地の柔軟化、色の保護、毛玉／毛羽立ちの低減、磨耗防止、皺防止などのような布地ケア利益を提供できる、任意の物質を指す。布地ケア有益剤の非限定例には、カチオン性界面活性剤、シリコーン、ポリオレフィンワックス、ラテックス、油性糖誘導体類、カチオン性多糖類、ポリウレタン、脂肪酸およびこれらの混合物が挙げられる。組成物中に存在するとき、布地ケア有益剤は、好適には組成物の約３０重量％まで、より一般的には約１重量％〜約２０重量％、特定の実施形態では好ましくは約２重量％〜約１０重量％の濃度である。
【００７３】
本発明の目的のため、シリコーン誘導体は、布地ケア効果を与えることができ、液体処理組成物にエマルション、ラテックス、分散液、懸濁液等として混合されることのできる任意のシリコーン物質である。洗濯製品において、これらは通常好適な界面活性剤と共に組み込まれる。また、洗濯製品が、通常、乳化剤、分散剤、懸濁剤などと同様に作用して水不溶性シリコーン誘導体の乳化、分散、および／または懸濁を助けることのできる多種多様な界面活性剤を含有するので、洗濯製品に直接乳化または分散させることのできる純シリコーン類も、本発明の対象である。これらのシリコーン誘導体類は、布地上に付着することによって、布地に、皺防止、色の保護、毛玉／毛羽立ちの低減、磨耗防止、布地の柔軟化などを含む１以上の布地ケア利益を提供することができる。本発明で有用なシリコーンの例が、「シリコーン・フィールズ・オブ・アプリケーション・アンド・テクノロジー・トレンド（Silicones-Fields of Application and Technology Trends）」（ヨシアキ・オノ（Yoshiaki Ono）、信越シリコーン社、日本）および化粧品およびパーソナルケアにおける高分子科学および技術の原理（Principles of Polymer Science and Technology in Cosmetics and Personal Care（１９９９））（Ｍ．Ｄ．ベルスィオウム（M.D. Berthiaume））に記載されている。
【００７４】
好適なシリコーンは、ポリ（ジ）アルキルシロキサン、特にポリジメチルシロキサンおよび環状シリコーンのようなシリコーン流体を含む。ポリ（ジ）アルキルシロキサンは分枝状、部分的に架橋または線状、および次の構造を有していてもよい：
【化７】
0005586946.tif 000009
（式中、各Ｒ１は独立して、Ｈ、１〜２０個の炭素原子を有する直鎖、分岐鎖、または環状アルキル基、２〜２０個の炭素原子を有する直鎖、分岐鎖、または環状アルケニル基、７〜２０個の炭素原子を有するアリールアルケニル基、１〜２０個の炭素原子を有するアルコキシ基、ヒドロキシ、およびこれらの組み合わせから選択され、ｗは３〜１０から選択され、およびｋは２〜１０，０００から選択される。
【００７５】
本発明のポリジメチルシロキサン誘導体は有機官能シリコーンを含むがこれらに限定されない。
【００７６】
官能シリコーンの一実施形態は、ＵＳ６，９０３，０６１Ｂ２、ＵＳ６，８３３，３４４およびＰＣＴ国際公開特許ＷＯ０２／０１８５２８に開示されているＡＢｎタイプのシリコーンである。これらシリコーンの市販の例は、共にＧＥシリコーンズ（GE Silicones）（コネチカット州ウイルトン（Wilton, CT））から市販のワロ（Waro）およびシルソフト（Silsoft）８４３である。
【００７７】
官能化シリコーンの別の実施形態は、次の一般式を有するシリコーンの基である：
【化８】
0005586946.tif 000010
（式中、
（ａ）各Ｒ”は独立して、ＲおよびＸＱから選択され、ここで：
（ｉ）Ｒは、Ｃ１〜Ｃ８アルキルまたはアリール基、水素、Ｃ１〜Ｃ３アルコキシまたはこれらの組み合わせから選択される；
（ｂ）Ｘは、アルキレン基ＣＨ２）p、または
ＣＨ２ＣＨ（ＯＨ）−ＣＨ２から選択される連結基であり；ここで：
（ｉ）ｐ２〜６である、
（ｃ）Ｑは、−（Ｏ−ＣＨＲ２−ＣＨ２）ｑＺであり；ここでｑは平均して約２〜約２０であり、さらにここで：
（ｉ）Ｒ２は、Ｈ、Ｃ１〜Ｃ３アルキルから選択される基であり；および
（ｉｉ）Ｚは、−ＯＲ３、−ＯＣ（Ｏ）Ｒ３、−ＣＯ−Ｒ４ＣＯＯＨ、−ＳＯ３、−ＰＯ（ＯＨ）２から選択される基であり、
【化９】
0005586946.tif 000011
（式中
Ｒ３は、Ｈ、Ｃ１〜Ｃ２６アルキルまたは置換アルキル、Ｃ６〜Ｃ２６アリールまたは置換アリール、Ｃ７〜Ｃ２６アルキルアリールまたは置換アルキルアリールから選択される基であり、いくつかの実施形態において、Ｒ３は、Ｈ、メチル、エチルプロピル、またはベンジル基から選択される基であり；
Ｒ４は、ＣＨ２−、またはＣＨ２ＣＨ２−から選択される基であり、
Ｒ５は独立して、Ｈ、Ｃ１〜Ｃ３アルキル、
（ＣＨ２）ｐＮＨ２、およびＸ（−Ｏ−ＣＨＲ２−ＣＨ２）ｑ−Ｚから選択される基であり；
（ｄ）ｋは平均して約１〜約２５，０００、または約３〜約１２，０００であり、および
（ｅ）ｍは平均して約４〜約５０，０００、または約１０〜約２０，０００である）
本発明に含まれる官能化シリコーンの例は、シリコーンポリエーテル、アルキルシリコーン、フェニルシリコーン類、アミノシリコーン類、シリコーン樹脂、シリコーンメルカプタン、カチオン性シリコーン等である。
【００７８】
アミノ、アルコキシ、アルキル、フェニル、ポリエーテル、アクリレート、シリコン、水酸化ケイ素、メルカプトプロピル（mercaptoproyl）、カルボン酸、四級化窒素などの１以上の異なる種類の官能基を有する官能化シリコーンまたはコポリマー。市販のシリコーンの非限定例には、ＧＥシリコーンズ（GESilicones）から市販のＳＭ２１２５、シルウェット（Silwet）７６２２、およびすべてダウ・コーニング（DowCまたはning）から市販のＤＣ８８２２およびＰＰ−５４９５、並びにＤＣ−５５６２が挙げられる。その他の例には、共に信越シリコーン（オハイオ州アクロン（Akron,OH））から市販のＫＦ−８８８、ＫＦ−８８９、およびすべてノベオン社から市販のウルトラシル（Ultrasil）（登録商標）ＳＷ−１２、ウルトラシル（登録商標）ＤＷ−１８、ウルトラシル（登録商標）ＤＷ−ＡＶ、ウルトラシル（登録商標）Ｑ−Ｐｌｕｓ、ウルトラシル（登録商標）Ｃａ−１、ウルトラシル（登録商標）ＣＡ−２、ウルトラシル（登録商標）ＳＡ−１およびウルトラシル（登録商標）ＰＥ−１００が挙げられる。さらなる非限定例は、サマービル（Somerville）のフェニックス・ケミカル社（Phoenix ChemicalInc.）から入手可能なペコシル（Pecosil）（登録商標）ＣＡ−２０、ペコシル（登録商標）ＳＭ−４０、ペコシル（登録商標）ＰＡＮ−１５０が挙げられる。
【００７９】
シリコーンエマルションに関しては、粒径は、マイクロエマルション（１５０ｎｍ未満）、スタンダードエマルション（約２００ｎｍ〜約５００ｎｍ）およびマクロエマルション（約１ミクロン〜約２０ミクロンを含む、約１ｎｍ〜１００ミクロン、好ましくは約１０ｎｍ〜約１０ミクロンである。
【００８０】
本発明で用いるのに好適な油性糖誘導体類がＰＣＴ国際公開特許ＷＯ９８／１６５３８に教示されている。本発明の文脈中、イニシャルであるＣＰＥまたはＲＳＥはそれぞれ環状ポリオール誘導体または還元糖誘導体を表し、エステル化および／またはエーテル化される環状ポリオールまたは還元糖のヒドロキシル基の３５％〜１００％に由来し、少なくとも２つまたはそれ以上のエステルまたはエーテル基は独立して、Ｃ８〜Ｃ２２アルキルまたはアルケニル鎖に結合している。通常、ＣＰＥおよびＲＳＥは３つ以上のエステルまたはエーテル基またはこれらの混合物を有している。ＣＰＥおよびＲＳＥの２つまたはそれ以上のエステルまたはエーテル基が独立してＣ８〜Ｃ２２アルキルまたはアルケニル鎖に結合しているのが好ましい。Ｃ８〜Ｃ２２アルキルまたはアルケニル鎖は直鎖または分枝鎖であり得る。一実施形態において、ヒドロキシル基の４０〜１００％はエステル化またはエーテル化される。別の実施形態において、ヒドロキシル基の５０％〜１００％はエステル化またはエーテル化される。
【００８１】
本発明の文脈中、用語環状ポリオールは糖の全形状を包含する。特に好ましいのは、単糖類および二糖類からのＣＰＥおよびＲＳＥである。単糖類の例には、キシロース、アラビノース、ガラクトース、フルクトース、およびグルコースが挙げられる。還元糖の例はソルビタンである。二糖類の例は、ショ糖、ラクトース、マルトースおよびセロビオースである。ショ糖が特に好ましい。
【００８２】
ＣＰＥまたはＲＳＥが４つ以上のエステルまたはエーテル基を有しているのが好ましい。環状ＣＰＥが二糖類の場合、二糖類が３つ以上のエステルまたはエーテル基有しているのが好ましい。特に好ましいのは４つ以上のエステル基を有するショ糖エステルである。これらはプロクター・アンド・ギャンブル社（Procter and GambleCompany）（オハイオ州シンシナティー（Cincinnati OH））からオレアン（Olean）の商品名で市販されている。
【００８３】
環状ポリオールが還元糖である場合、ＣＰＥの環が１つのエーテル基を、好ましくはＣ１位に有しているのが有利である。残りのヒドロキシル基はアルキル基でエステル化される。
【００８４】
布地ケア利益を提供するすべての分散性ポリオレフィン類を、本発明による水不溶性布地ケア有益剤として使用することができる。当該ポリオレフィン類は、ワックス類、エマルション類、分散液、または懸濁液の形態にすることができる。非限定例を以下に記載する。
【００８５】
好ましくは、当該ポリオレフィンは、ポリエチレン、ポリプロピレン、またはこれらの混合物である。ポリオレフィンは、カルボキシル、アルキルアミド、スルホン酸またはアミド基のような様々な官能基を含有するように、少なくとも部分的に変性されていてもよい。より好ましくは、本発明で使用されるポリオレフィンは、少なくとも部分的にカルボキシル変性されており、換言すれば、酸化されている。特に、酸化またはカルボキシル変性ポリエチレンは、本発明の組成物に好ましい。
【００８６】
配合を容易にするために、分散性ポリオレフィンは、好ましくは、乳化剤を用いて分散されたポリオレフィンの懸濁液またはエマルションとして導入される。ポリオレフィン懸濁液またはエマルションは、好ましくは約１重量％〜約６０重量％、より好ましくは約１０重量％〜約５５重量％、最も好ましくは約２０〜約５０重量％のポリオレフィンを含む。ポリオレフィンは、好ましくは、約２０〜１７０℃、より好ましくは約５０〜１４０℃のワックス滴点（ＡＳＴＭＤ３９５４−９４、１５．０４巻−−−「ワックス類の滴点に関する標準試験方法（Standard Test Method forは Dropping Point of Waxes）」参照、この方法を本明細書に参考として組み込む）を有する。好適なポリエチレンワックス類は、これだけに限定するものではないが、ハネウェル（Honeywell）（Ａ−Ｃポリエチレン）、クラリアント（Clariant）（ベルストロール（Velustrol）エマルション）、およびＢＡＳＦ（ＬＵＷＡＸ）を含めた供給元から市販されている。
【００８７】
エマルションが使用されるときには、乳化剤は、アニオン性、カチオン性、若しくは非イオン性の界面活性剤、またはこれらの混合物を含め、どの好適な乳化剤であってもよい。ほとんどどの好適な界面活性剤も、本発明の乳化剤として使用してよい。分散性ポリオレフィンは、乳化剤または懸濁剤を用いて１：１００〜約１：２の比で分散される。好ましくは、この比の範囲は、約１：５０〜１：５である。
【００８８】
ポリマーラテックスは、通常、１以上のモノマー、１以上の乳化剤、反応開始剤、および当業者にはよく知られている他の構成成分を含むエマルション重合プロセスによって製造される。布地ケア利益を提供するすべてのポリマーラテックス類を、本発明の水不溶性布地ケア有益剤として使用することができる。好適なポリマーラテックス類の非限定例には、ＰＣＴ国際公開特許ＷＯ０２／０１８４５１（ロディア化学（Rhodia Chimie）の名で公開）に開示のものが含まれる。さらなる非限定例には、次のようなポリマーラテックス類を生成する際に使用されるモノマー類が含まれる：
１）１００％または純ブチルアクリレート
２）少なくとも２０重量％（モノマー比）のブチルアクリレートを含む、ブチルアクリレートとブタジエンとの混合物
３）ブチルアクリレートと、ブタジエンを除いた２０重量％未満（モノマー比）の他のモノマー類
４）Ｃ６以上のアルキル炭素鎖を有するアルキルアクリレート
５）Ｃ６以上のアルキル炭素鎖を有するアルキルアクリレートと、５０重量％未満（モノマー比）の他のモノマー類
６）１）〜５）のモノマー系に添加される第３のモノマー（モノマー比で２０重量％未満）。
【００８９】
本発明において好適な布地ケア有益剤であるポリマーラテックス類には、ガラス転移温度が約−１２０℃〜約１２０℃、好ましくは約−８０℃〜約６０℃のものが含まれる。適した乳化剤類には、アニオン性、カチオン性、非イオン性および両性の界面活性剤類が包含される。好適な反応開始剤には、ポリマーラテックス類のエマルション重合に適したすべての反応開始剤が含まれる。ポリマーラテックス類の粒径は、約１ｎｍ〜約１０μｍにすることができ、好ましくは約１０ｎｍ〜約１μｍである。
【００９０】
カチオン性界面活性剤は、本発明で有用なケア活性物質の別の部類である。次の式を有するカチオン性界面活性剤がＵＳ２００５／０１６４９０５に開示されている。
【化１０】
0005586946.tif 000012
（式中、Ｒ１およびＲ２は独立して、Ｃ１〜Ｃ４アルキル、Ｃ１〜Ｃ４ヒドロキシアルキル、ベンジル、および−−（ＣｎＨ２ｎＯ）ｘＨから成る群から選択され、ここでｘは２〜５の値を有し、およびｎは１〜４の値を有し、Ｘはアニオンであり、
Ｒ３およびＲ４はそれぞれ、Ｃ８〜Ｃ２２アルキルであり、または（２）Ｒ３はＣ８〜Ｃ２２アルキルであり、およびＲ４はＣ１〜Ｃ１０アルキル、Ｃ１〜Ｃ１０ヒドロキシアルキル、ベンジル、−−（ＣｎＨ２ｎＯ）ｘＨから成る群から選択され、ここでｘは２〜５の値を有し；およびｎは１〜４の値を有する。）
別の好ましい布地ケア有益剤は脂肪酸である。布地に沈着すると脂肪酸またはその石鹸類が布地ケア（softness, shape retention）を洗濯布地に提供する。有用な脂肪酸（または石鹸類＝アルカリ金属石鹸類、例えば、脂肪酸のナトリウム塩、カリウム塩、アンモニウム塩、およびアルキルアンモニウム塩）は、約８〜約２４個の炭素原子、より好ましくは約１２〜約１８個の炭素原子を含有する高脂肪酸である。石鹸類は、脂肪類および油類の直接鹸化によって、または遊離脂肪酸類の中和によって製造することができる。特に有用であるのは、ココヤシ油および獣脂から誘導される脂肪酸類の混合物のナトリウム塩およびカリウム塩、すなわち、ナトリウムまたはカリウム獣脂およびココヤシ石鹸である。脂肪酸天然起源または合成起源であり得、共に直鎖または分枝鎖で飽和および不飽和である。
【００９１】
洗浄性酵素
本明細書で使用する好適な洗浄性酵素には、プロテアーゼ、アミラーゼ、リパーゼ、セルラーゼ、マンナナーゼおよびエンドグルカナーゼを含むカルボヒドラーゼ、並びにこれらの混合物が挙げられる。酵素類は、その技術分野で教示される濃度、例えば、ノボ（Novo）およびジェネンコア（Genencor）のような供給元によって推奨される濃度で使用することができる。組成物中の典型的な濃度は約０．０００１％〜約５％である。酵素類が存在するときには、本発明の特定の実施形態では、当該酵素類を非常に低い濃度、例えば約０．００１％以下で使用することができ、または本発明による強力型の洗濯洗剤配合では、当該酵素類をより高濃度、例えば約０．１％以上で使用することができる。「非生物学的」洗剤類を好む消費者もいるため、本発明は酵素含有実施形態と、酵素を含まない実施形態の両方を包含する。
【００９２】
沈着補助剤
本明細書で使用する時、「沈着補助剤」は、洗濯中の布地上への布地ケア有益剤の付着を大幅に向上させる任意のカチオン性ポリマーまたはカチオン性ポリマー類の組み合わせを指す。有効な沈着補助剤は、好ましくは、ファンデルワールス力のような物理力、または水素結合および／若しくはイオン結合のような非共有化学結合を介した、水不溶性布地ケア有益剤との強い結合能力を有する。それは、好ましくは、天然の織物繊維、特に綿繊維に対して非常に強い親和力を有する。
【００９３】
好ましくは、沈着補助剤はカチオン性または両性ポリマーである。本発明の両性ポリマー類は、やはりカチオン性の正味電荷を有し、すなわち、これらのポリマー上にあるカチオン性電荷の合計が、アニオン性電荷の合計を上回る。ポリマーのカチオン電荷密度は約０．０５ミリ当量／ｇ〜約６ミリ当量／ｇの範囲である。電荷密度は、繰り返し単位あたりの正味電荷の数を繰り返し単位の分子量で割って計算する。一実施形態において、電荷密度は約０．１ミリ当量／ｇ〜約３ミリ当量／ｇの間で変化する。正電荷は、ポリマーの主鎖またはポリマーの側鎖上に存在することができる。
【００９４】
沈着補助剤の非限定的な実施例は、カチオン性多糖類、キトサンおよびその誘導体並びにカチオン性合成ポリマーである。より具体的には、好ましい沈着補助剤は、カチオン性ヒドロキシエチルセルロース、カチオンデンプン、カチオン性グアー誘導体およびこれらの混合物から成る群から選択される。
【００９５】
構造式Ｉのタイプの市販のセルロースエーテルには、すべてニュージャージー州エッジウォーター（Edgewater NJ）のアマコール社（Amerchol Candporation）から市販されているＪＲ３０Ｍ、ＪＲ４００、ＪＲ１２５、ＬＲ４００、およびＬＫ４００ポリマー、ならびにニュージャージー州ブリッジウォーター（Bridgewater, NJ）のナショナルスターチアンドケミカル社（National Starch および Chemical Company）から市販されているセルクアット（Celquat）Ｈ２００およびセルクアットＬ−２００が挙げられる。カチオンデンプンは、ナショナル・スターチ・アンド・ケミカル社（National Starch および Chemical Company）からカトー（Cato）の商品名で市販されている。カチオン性グアーガムの例は、ニュージャージー州クランベリー（Cranburry NJ）のロディア社（Rhodia, Inc）から入手可能なジャガー（Jaguar）Ｃ１３およびジャガー・エクセル（Excel）である。
【００９６】
本発明による好ましいポリマーの非限定的な実施例は次を含むコポリマーである：
ａ）Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、それらの四級化誘導体、ビニルアミンおよびその誘導体、アリルアミンおよびその誘導体、ビニルイミダゾール、四級化ビニルイミダゾールおよびジアリルジアルキル塩化アンモニウムから成る群から選択されるカチオン性モノマー；
ｂ）およびアクリルアミド（ＡＭ）、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、Ｃ１〜Ｃ１２ヒドロキシエーテルアルキルアクリレート、Ｃ１〜Ｃ１２アルキルメタクリレート、Ｃ１〜Ｃ１２ヒドロキシアルキルメタクリレート、酢酸ビニル、ビニルアセテート、ビニルアルコール、ビニルホルムアミド、ビニルアセトアミド、ビニルアルキルエーテル、ビニルブチレート、酪酸、および誘導体およびこれらの混合物から成る群から選択される第２のモノマー。
【００９７】
最も好ましいポリマーは、ポリ（アクリルアミド−コ−ジアリルジメチルアンモニウムクロリド）、ポリ（アクリルアミド−メタクリルアミドプロピルトリメチルアンモニウムクロリド）、ポリ（アクリルアミド−コ−Ｎ，Ｎ−ジメチルアミノエチルメタクリレート）、ポリ（アクリルアミド−コ−Ｎ，Ｎ−ジメチルアミノエチルメタクリレート）、ポリ（ヒドロキシエチルアクリレート−コ−ジメチルアミノエチルメタクリレート）、ポリ（ヒドロキシプロピルアクリレート−コ−ジメチルアミノエチルメタクリレート）、ポリ（ヒドロキシプロピルアクリレート−コ−メタクリルアミドプロピルトリメチルアンモニウムクロライド）である。
【００９８】
ビルダー
本発明の組成物、任意にビルダーを含んでもよい。好適なビルダーは以下に説明する。
【００９９】
好適なポリカルボキシレートビルダーには、環式化合物、特に米国特許第３，９２３，６７９号；同第３，８３５，１６３号、同第４，１５８，６３５号；同第４，１２０，８７４号および同第４，１０２，９０３号に記載のような脂環式化合物が挙げられる。
【０１００】
その他の有用な洗剤性ビルダーには、エーテルヒドロキシポリカルボキシレート、無水マレイン酸のエチレンまたはビニルメチルエーテルとのコポリマー、１，３，５−トリヒドロキシベンゼン−２，４，６−トリスルホン酸、およびカルボキシメチルオキシコハク酸、エチレンジアミン四酢酸およびニトリロ三酢酸のようなポリ酢酸の各種アルカリ金属塩、アンモニウム塩および置換型アンモニウム塩、並びにメリト酸、コハク酸、オキシジコハク酸、ポリマレイン酸、ベンゼン−１，３，５−トリカルボン酸、カルボキシメチルオキシコハク酸、およびこれらの可溶性塩のようなポリカルボキシレートが挙げられる。
【０１０１】
シトレートビルダー、例えば、クエン酸およびその可溶性の塩（特にナトリウム塩）は、その再生可能な資源からの可用性およびその生分解性のために、重質の液体洗剤配合物にとって特に重要なポリカルボキシレートビルダーである。オキシジスクシネートはまたかかる組成物および組み合わせにおいて特に有用である。
【０１０２】
また、米国特許第４，５６６，９８４号（ブッシュ（Bush）、１９８６年１月２８日発行）に開示の３，３−ジカルボキシ−４−オキサ−１，６−ヘキサンジオエート（hexanedioates）および関連化合物も、本発明の液体組成物に好適である。有用なコハク酸ビルダーは、Ｃ５〜Ｃ２０アルキルおよびアルケニルコハク酸並びにこれらの塩を含む。この種類の特に好ましい化合物は、ドデセニルコハク酸（dodecenylsuccinic acid）である。コハク酸塩ビルダーの具体的な例には、ラウリルサクシネート、ミリスチルサクシネート、パルミチルサクシネート、２−ドデセニルサクシネート（好ましい）、２−ペンタデセニルサクシネート等が挙げられる。ラウリルサクシネートはこの群の好ましいビルダーであり、１９８６年１１月５日に公開された、欧州特許出願第０２００２６３号に記載されている。
【０１０３】
窒素を含有し、りん光体のないアミノカルボキシレートの具体的な例としては、エチレンジアミン二コハク酸およびその塩（エチレンジアミンジスクシネート、ＥＤＤＳ）、エチレンジアミン四酢酸およびその塩（エチレンジアミンテトラアセテート、ＥＤＴＡ）、並びにジエチレントリアミン五酢酸およびその塩（ジエチレントリアミンペンタアセテート、ＤＴＰＡ）が挙げられる。
【０１０４】
他の好適なポリカルボキシレートが、米国特許第４，１４４，２２６号（クラッチフィールド（Crutchfield）ら、１９７９年３月１３日発行）および米国特許第３，３０８，０６７号（ディール（Diehl）、１９６７年３月７日発行）に開示されている。米国特許第３，７２３，３２２号（ディール（Diehl））も参照のこと。こうした物質には、マレイン酸、イタコン酸、メサコン酸、フマル酸、アコニット酸、シトラコン酸、およびメチレンマロン酸のような脂肪族カルボン酸の、ホモ−およびコポリマーの水溶性塩が挙げられる。
【０１０５】
漂白剤系
本明細書に用いるのに好適な漂白剤系は、１以上の漂白剤を有している。好適な漂白剤の非限定的な実施例は、触媒金属錯体、活性化過酸素源、漂白活性化剤、漂白ブースター、光漂白剤、漂泊酵素、遊離基反応開始剤、およびヒオ岩塩漂白剤（hyohalitebleaches）から成る群から選択される。
【０１０６】
適した活性過酸素源には、予め形成された過酸、漂白活性化剤と組み合わせた過酸化水素源、またはこれらの混合物が挙げられるがこれらに限定されない。適した予め形成された過酸類としては、ペルカルボン酸類および塩類、過炭酸類および塩類、ペルイミド酸類および塩類、ペルオキシ一硫酸類並びに塩類およびこれらの混合物から成る群から選択される化合物が挙げられるがこれらに限定されない。適した過酸化水素供給源としては、過ホウ酸塩化合物、過炭酸塩化合物、過リン酸塩化合物およびこれらの混合物から成る群から選択される化合物が挙げられるがこれらに限定されない。活性過酸素源の適した種類および濃度は、米国特許第５，５７６，２８２号、同第６，３０６，８１２Ｂ１号および同第６，３２６，３４８において見出される。
【０１０７】
香料
香料は、好ましくは洗剤本発明の組成物に組み込まれる。香料成分は、本発明の洗剤組成物に添加される前にプレミックスされて香料アコードを形成する。本明細書で使用するとき、用語「香料」は個々の香料成分並びに香料アコードを包含する。より好ましくは、本発明の組成物香料マイクロカプセルを含む。香料マイクロカプセルは、尿素およびホルムアルデヒド、メラミンおよびホルムアルデヒド、フェノールおよびホルムアルデヒド、ゼラチン、ポリウレタン、ポリアミド、セルロースエーテル、セルロースエステル、ポリメタクリレート並びにこれらの混合物から成る群から選択される物質から製造されるカプセル内に封入された、香料の原料物質を含む。カプセル化法は、ベニータ（Benita）およびサイモン（Simon）編「マイクロカプセル化：方法および産業への応用（MICROENCAPSULATION: Methods and Industrial Applications）」（マーセルデッカー社（Marcel Dekker, Inc.）１９９６年）に見い出すことができる。
【０１０８】
洗剤組成物の中の香料アコードの濃度は、典型的には、洗剤組成物の約０．０００１重量％〜約２重量％以上、例えば〜約１０重量％、好ましくは約０．０００２重量％〜約０．８重量％、より好ましくは約０．００３重量％〜約０．６重量％、最も好ましくは約０．００５重量％〜約０．５重量％である。
【０１０９】
洗剤組成物の中の香料成分の濃度は、典型的には、香料アコードの約０．０００１重量％（より好ましくは０．０１重量％）〜約９９重量％、好ましくは約０．０１重量％〜約５０重量％、より好ましくは約０．２重量％〜約３０重量％、さらにより好ましくは約１重量％〜約２０重量％、最も好ましくは約２重量％〜約１０重量％である。代表的な香料成分および香料アコードは、米国特許第５，４４５，７４７号、同第５，５００，１３８号、同第５，５３１，９１０号、同第６，４９１，８４０号；および同第６，９０３，０６１号に開示されている。
【０１１０】
溶媒系
本組成物中の溶媒系は、水だけを含有する、または有機溶媒と水の混合物を含有する溶媒系であり得る。好ましい有機溶媒には、１，２−プロパンジオール、エタノール、グリセロール、ジプロピレングリコール、メチルプロパンジオールおよびこれらの混合物が挙げられる。他の低級アルコール類、モノエタノールアミンおよびトリエタノールアミンのようなＣ１〜Ｃ４アルカノールアミン類も使用することができる。溶媒系を、例えば本発明の無水固体の実施形態に存在させないこともできるが、より典型的には、溶媒系は、当該組成物の約０．１重量％〜約９８重量％、好ましくは少なくとも約１０重量％〜約９５重量％、より典型的には約２５重量％〜約７５重量％の濃度で存在する。
【０１１１】
織物直接染色および色相染色
染料は従来、酸性染料、塩基性染料、反応染料、分散染料、直接（direct）染料、バット染料、硫黄染料、または油溶性染料であると定義される。本発明の目的のためには、直接染料、酸性染料および反応染料が好ましく、直接染料が最も好ましい。直接染料は、恐らく選択吸着が原因で、電解質を含有する水溶液から繊維によって直接引き上げる水溶性染料の群である。色指数システムにおいては、直接染料は、１以上のアニオン性スルホン酸基を含有する、様々な平面的で高度に共役した分子構造を言う。酸性染料は、酸性溶液から適用される水溶性アニオン性染料の群である。反応染料は、天然繊維または合成繊維の分子の特定の部分と共有結合を形成することの可能な反応基を含有する染料の群である。化学構造の観点からは、本明細書で有用な好適な織物直接染料は、アゾ化合物、スチルベン、オキサジンおよびフタロシアニンであり得る。
【０１１２】
本明細書で使用するのに好適な織物直接染料には、直接バイオレット染料、直接ブルー染料、アシッドバイオレット染料、およびアシッドブルー染料として色指数に記載されている染料が挙げられる。
【０１１３】
一つの好ましい実施形態において、織物直接染料は以下の式を有するアゾ直接バイオレット９９（ＤＶ９９としても知られる）である。
【化１１】
0005586946.tif 000013
【０１１４】
色相染色が本発明の組成物に存在してもよい。そのような染料は、洗濯洗浄サイクル中好ましい着色効率を示し、洗濯後過度の望ましくない蓄積を示さないことがわかった。
【０１１５】
色相染料は、好ましくは洗濯用洗剤組成物中に洗剤を包含する溶液中で洗浄される布地に着色効果を与えるのに十分な量が含まれる。一実施形態において、組成物は約０．０００１重量％〜約０．０５重量％、より具体的には約０．００１重量％〜約０．０１重量％の色相染料を含む。
【０１１６】
本発明による色相効率と洗浄除去値の組合せを示す代表的な染料としては表２に示されるようないくつかのトリアリールメタンブルーおよびバイオレット塩基性染料、表３に示されるようなメチンブルーおよびバイオレット塩基性染料、表４に示されるようなアントラキノン染料、アントラキノン染料塩基性ブルー３５および塩基性ブルー８０、アゾ染料塩基性ブルー１６、塩基性ブルー６５、塩基性ブルー６６、塩基性ブルー６７、塩基性ブルー７１、塩基性ブルー１５９、塩基性バイオレット１９、塩基性バイオレット３５、塩基性バイオレット３８、塩基性バイオレット４８、オキサジン染料塩基性ブルー３、塩基性ブルー７５、塩基性ブルー９５、塩基性ブルー１２２、塩基性ブルー１２４、塩基性ブルー１４１、ナイルブルーおよびキサンテン染料塩基性バイオレット１０、並びにこれらの混合物が挙げられる。
【０１１７】
カプセル封入組成物
本発明の組成物は水溶性フィルム内に封入されてもよい。水溶性フィルムはポリビニルアルコールまたはその他の好適なバリエーション、カルボキシメチルセルロース、セルロース誘導体、デンプン、加工デンプン、糖、ポリエチレングリコール、ワックス、或いはこれらの組み合わせから製造されてもよい。
【０１１８】
別の実施形態において、水溶性はビニルアルコールおよびカルボン酸などのその他の補助剤を含み得る。米国特許第７，０２２，６５６Ｂ２号（モノソル（Monosol））は、かかるフィルム組成物およびそれらの利点を記載している。これらコポリマーの一つの効果は、洗剤との相溶性のおかげで小袋入り洗剤の保存寿命が向上することである。かかるフィルムの別の利点は冷水（１０℃未満）への溶解度が優れていることである。存在する場合、コポリマーのフィルム材中での濃度は、当該フィルムの少なくとも６０重量％である。ポリマーは任意の重量平均分子量を有することができ、好ましくは１．７Ｅ−２１ｇ〜１．７Ｅ−１８ｇ（１０００ダルトン〜１，０００，０００ダルトン）、より好ましくは１．７Ｅ−２０ｇ〜５Ｅ−１９ｇ（１０，０００ダルトン〜３００，０００ダルトン）、さらにより好ましくは２．５Ｅ−２０ｇ〜３．３Ｅ−１９ｇ（１５，０００ダルトン〜２００，０００ダルトン）、最も好ましくは３．３Ｅ−２０ｇ〜２．５Ｅ−１９ｇ（２０，０００ダルトン〜１５０，０００ダルトン）を有する。好ましくは、前記フィルム内に存在するコポリマーは、材料の溶解を改善させるために６０％〜９８％、より好ましくは８０％〜９５％が加水分解されている。極めて好ましい実施例では、前記コポリマーは０．１モル％〜３０モル％、好ましくは１モル％〜６モル％の前記カルボン酸を含む。
【０１１９】
本発明の水溶性フィルムは、追加のコモノマーを更に含んでよい。好適な追加のコモノマーとしては、スルホネート類およびエトキシレートが挙げられる。好ましいスルホン酸の一例は、２−アクリルアミド−２−メチル−１−プロパンスルホン酸（ＡＭＰＳ）である。本発明の文脈で用いられる好適な水溶性フィルムは、Ｍ８６３０（商標）にて、モノ−ソル社（Mono-Sol）（米国、インディアナ州（Indiana, US））から市販されている。本明細書の水溶性フィルムは、ポリマーまたはポリマー材料以外の成分も含んでよい。例えば、可塑剤、例えばグリセロール、エチレングリコール、ジエチレングリコール、プロパンジオール、２−メチル−１，３−プロパンジオール、ソルビトールおよびこれらの混合物、追加の水、崩壊助剤、充填剤、消泡剤、乳化／分散剤、並びに／またはブロッキング防止剤を加えることが有益であり得る。パウチまたは水溶性フィルム自体が、洗浄水に供給されるべき洗剤添加物、例えば、有機ポリマー性の汚れ放出剤、分散剤、移染防止剤などを含むことが有用であり得る。所望によりパウチのフィルム表面に微細粉末を散布して、摩擦係数を減少させてもよい。アルミノケイ酸ナトリウム、シリカ、タルクおよびアミロースは、好適な微細粉末の例である。
【０１２０】
本発明の封入パウチ（encapsulated pouches）は従来既知の技術を用いて製造することができる。より好ましくは、パウチは水平型枠形状充填熱成形技術（horizontal form filling thermoforming techniques）を用いて製造される。
【０１２１】
その他の補助剤
他の好適な洗浄補助物質の例としては、これらに限定されないが、トリメトキシ安息香酸若しくはその塩類（ＴＭＢＡ）のようなアルコキシル化安息香酸類またはそれらの塩；酵素安定化系；アミノカルボキシレート類、アミノホスホネート類、窒素非含有ホスホネート類、並びにリン−およびカルボキシレート非含有キレート剤を含むキレート剤；ゼオライトなどの無機ビルダー類およびポリアクリレート、アクリレート／マレイン酸コポリマー等などの水溶性有機ビルダーを含む無機ビルダー類、およびアニオン性染料用安定剤、アニオン性界面活性剤用錯化剤およびこれらの混合物、を含む無機ビルダー；過酸化水素およびカタラーゼを含む発泡性系；蛍光増白剤または蛍光物質；油放出ポリマー類；分散剤類；抑泡剤類；染料類；着色剤類；硫酸ナトリウムのような増量剤塩類（fillersalts）；向水性物質類、例えばトルエンスルホネート類、クメンスルホネート類、およびナフタレンスルホネート類；光活性化剤類；加水分解型界面活性剤類；防腐剤類；酸化防止剤類；収縮防止剤類；防皺剤類；殺菌剤類；殺真菌剤類；カラースペックル類（colorot speckles）；着色ビーズ類、球体類または押出物類；日焼け止め剤類；フッ素化化合物類；粘土類；発光剤類または化学発光剤類；耐食剤類および／または機器保護剤類；アルカリ源類または他のｐＨ調整剤類；可溶化剤類；加工助剤類；顔料類；フリーラジカル捕捉剤類；およびこれらの混合物を含む。好適な物質には、米国特許第５，７０５，４６４号、第５，７１０，１１５号、第５，６９８，５０４号、第５，６９５，６７９号、第５，６８６，０１４号および第５，６４６，１０１号に記載のものが挙げられる。補助剤類の混合物−上記成分の混合物は、どのような割合でも製造できる。
【０１２２】
組成物の調製
本明細書の組成物は、最初に、最終的に組成物を含むために用いられる水の部分にレオロジー変性剤が分散したプレミックスを形成することにより好ましくは調製され得る。このプレミックスは、構造化された液体を含むようにして形成される。
【０１２３】
次に、プレミックスが攪拌されている間、この構造化されたプレミックスに、水および使用されるべきあらゆる任意の洗剤組成物補助剤と共に、界面活性剤および必須の洗剤補助剤物質が添加されることができる。プレミックスへのこれらの物質の都合のよいいかなる添加順序、または更に言えばこれらの組成物成分の同時添加も、実施することができる。構造化されたプレミックスと残りの組成物成分との得られる組み合わせが、水性液体マトリックスを形成し、真珠光沢剤がそれに添加される。
【０１２４】
結晶性、ヒドロキシル含有構造を利用する特に好ましい実施形態において、当該構造を活性化させるために次の工程を用いることが可能である：
１）プレミックスは、結晶性、ヒドロキシル安定剤を好ましくは当該プレミックスの０．１％〜約５重量％で、少なくとも２０重量％のプレミックス、および当該組成物で使用される界面活性剤の１以上、および任意選択的に、洗剤組成物に含有させられる任意の塩、を含む水と組み合わせることにより形成される。
２）工程１）で形成されるプレミックスが、結晶性ヒドロキシル含有構造剤の融点を超えて加熱される。
３）工程２）で形成される加熱されたプレミックスが、混合物を攪拌しながら、糸状構造系がこの混合物内に形成されるように周囲温度に冷却される。
４）洗剤組成成分の残りを水の残部と任意の順序で別々に混合して個別の混合物を作成する。
５）工程３の構造化されたプレミックスおよび工程４の別個の混合物が、次に攪拌下で合わされて、構造化された水性液体マトリックスを形成し、それに目で識別されるビーズが組み込まれる。
【実施例】
【０１２５】
以下の非限定的な例は、本発明を例示するものである。別途明記しない場合、百分率は重量によるものである。
【０１２６】
実施例１〜５はコールドパールプレミックスの調製を示している。
【０１２７】
（実施例１）
コールドパールプレミックスを調製するため、９００グラムのＳＬＳ１を、内部直径１２０ｍｍおよび全容量約１２００ｍＬのジャケット付き容器に加える。容器は、それぞれの長さが３８ｍｍでピッチが４５°の二重の４つのブレード羽根車を具備している。ＳＬＳを７７℃に加熱し、そこで１００グラムのクリコールエステル−Ａ３（ＥＧＤＳ：ＥＧＭＳ７５：２５）を添加する。プレミックスを、混合速度３００ＲＰＭ、７７℃で約２時間保持する。混合物を８７℃に加熱し、３００ＲＰＭを維持しながら３０分保持する。次に、３００ＲＰＭを維持しながらプレミックスが２２℃に達するまで混合液を４℃／分の速度で冷却する。プレミックスが所望の温度に達したら混合を中止する。
【０１２８】
（実施例２）
コールドパールプレミックスを調製するため、９００グラムのＡＬＳ２および１００グラムのグリコールエステル−Ａ３（ＥＧＤＳ：ＥＧＭＳ７５：２５）を、実施例１に記載の方法にしたがって混合する。
【０１２９】
（実施例３）
コールドパールプレミックスを調製するため、９００グラムのＳＬＳ１および１００グラムのグリコールエステル−Ａ３（ＥＧＤＳ：ＥＧＭＳ６０：４０）を、混合速度が２００ＲＰＭおよび冷却速度が２℃／分であること以外は実施例１に記載の方法と同様の方法で混合する。
【０１３０】
（実施例４）：
コールドパールプレミックスを調製するため、９００グラムのＳＬＳ１および１００グラムのグリコールエステル−Ｂ４を、実施例１に記載の方法にしたがって混合する。
【０１３１】
（実施例５）
コールドパールプレミックスを調製するため、８９０グラムのＳＬＳ１を内部直径１２０ｍｍおよび全容量約１２００ｍＬのジャケット付き容器に加える。容器は、それぞれの長さが３８ｍｍでピッチが４５°の二重の４つのブレード羽根車を具備している。ＳＬＳを、７７℃に加熱し、そこで１００グラムのクリコールエステル−Ｃ５（９０：１０）および１０ｇのＣ１２〜Ｃ１４脂肪酸を添加する。プレミックスを、混合速度２５０ＲＰＭ、７７℃で約２時間保持する。混合物を８７℃に加熱し、２５０ＲＰＭを維持しながら３０分保持する。次に、２５０ＲＰＭを維持しながらプレミックスが２２℃に達するまで混合液を２℃／分の速度で冷却する。プレミックスが所望の温度に達したら混合を中止する。
【０１３２】
１：ＳＬＳ＝ラウリル硫酸ナトリウム、コロニアル・ケミカル社（Colonial Chemical Inc.））（テネシー州サウスピッツバーグ（South Pittsburg, TN））より入手可能、活性ラウリル硫酸ナトリウムを２９％含有。
２：ＡＬＳ＝ラウリル硫酸アンモニウム、ステパン社（Stepan Company））（イリノイ州ノースフィールド（Northfield, IL））より入手可能、活性ラウリル硫酸アンモニウムを３０％含有。
３：グリコールエステル−Ａ
ａ．エチレングリコールジステアレート（disterarate）（ＥＧＤＳ）、デグサ社（Degussa）（バージニア州ホープウエル（Hopewell VA））より入手可能、９８％エチレングリコールジステアレートおよび２％エチレングリコールモノステアレートを２％含有；および
ｂ．エチレングリコールモノステアレート（ＥＧＭＳ）、ステパン社（イリノイ州ノースフィールド）より入手可能、４０％エチレングリコールジステアレートおよび６０％エチレングリコールモノステアレート含有。
ＥＧＤＳ：ＥＧＭＳのグリコールエステル−Ａの最終的な割合が７５：２５となるように成分をａ：ｂ＝６０：４０の割合で混合する。
４：グリコールエステル−Ｂ
ｃ．エチレングリコールジステアレート（disterarate）（ＥＧＤＳ）、供給元：デグサ社（バージニア州ホープウエル）、９８％エチレングリコールジステアレートおよび２％エチレングリコールモノステアレート含有。
５：グリコールエステル−Ｃ
ｄ．エチレングリコールジステアレート（disterarate）（ＥＧＤＳ）、供給元：デグサ社（バージニア州ホープウエル）、９８％エチレングリコールジステアレートおよび２％エチレングリコールモノステアレート含有；およびおよび
ｅ．エチレングリコールモノステアレート（ＥＧＭＳ）、供給元：ステパン社（イリノイ州ノースフィールド（Northfield, IL））、４０％エチレングリコールジステアレートおよび６０％エチレングリコールモノステアレート含有。
ＥＧＤＳ：ＥＧＭＳのグリコールエステル−Ｃの最終的な割合が９０：１０となるように成分をｄ：ｅ＝８７：１３の割合で混合する。
【０１３３】
コールドパール含有液体洗剤組成物の実施例
実施例１〜５のコールドパール組成物を、撹拌しながら、外部から熱を加えず、液体洗濯洗剤と混合する。調製後に手を加えていない状態で、得られた洗剤組成物は魅惑的な真珠光沢外観を有している。
【０１３４】
（実施例６）：
【表１】
0005586946.tif 000014
＊補助剤は、香料、酵素、柔軟仕上げ剤、抑泡剤、光沢剤、酵素安定剤およびその他の任意成分を含む。
＃濃度はコールドパール中の活性物質（ＥＧＤＳ+ＥＧＭＳ）濃度に基づく。
【０１３５】
（実施例７）：コールドパールを含有するコンパクトな洗剤組成物は上記の手順で調製し、当該コンパクトな洗剤組成物は製品安定性を示す。
【表２】
0005586946.tif 000015
＊補助剤は、香料、酵素、柔軟仕上げ剤、抑泡剤、光沢剤、酵素安定剤およびその他の任意成分を含む。
＃濃度はコールドパール中の活性物質（ＥＧＤＳ+ＥＧＭＳ）濃度に基づく。
【０１３６】
実施例８〜１６は本発明本発明による濃縮液体洗剤を示している：
【表３】
0005586946.tif 000016
【表４】
0005586946.tif 000017
１  Ｃ１０〜Ｃ１８アルキルエトキシサルフェート
２  Ｃ９〜Ｃ１５直鎖アルキルベンゼンスルホネート
３  Ｃ１２〜Ｃ１３エトキシル化（ＥＯ９）アルコール
４  供給元：アクゾケミカル社（イリノイ州シカゴ（Chicago, IL）
５  供給元：ノボザイム社（Novozymes, NC）
６  供給元：チバ・スペシャルティ・ケミカルズ（Ciba Specialty Chemicals）（ノースカロライナ州ハイポイント（high Point, NC））
７  ＵＳ４，５９７，８９８に記載
８  ＵＳ５，５６５，１４５に記載
９  ＢＡＳＦから商品名ルテンシト（LUTENSIT）（登録商標）で入手可能およびＰＣＴ国際公開特許ＷＯ０１／０５８７４に記載の物質。
１０  供給元：ダウ・コーニング（ミシガン州ミッドランド（Midland, MI））
１１  供給元：信越シリコーン（オハイオ州アクロン）
１２  供給元：ナルコ・ケミカルズ（Nalco Chemcials）（イリノイ州ネーパービル（Naperville, IL））
１３  供給元：エクハード・アメリカ（Ekhard America）（ケンタッキー州ルイビル（Louisville, KY））
１４  供給元：デグサ社（バージニア州ホープウエル）
１５  供給元：ロディア・ケミ（Rhodia Chemie）（フランス）
１６  供給元：アルドリッチ・ケミカルズ（Aldrich Chemicals）（ウイスコンシン州グリーンベイ（Greenbay, WI）
１７  供給元：ダウ・ケミカルズ（Dow Chemicals）（ニュージャージー州エッジウォーター（Edgewater, NJ））
１８  供給元：シェル・ケミカルズ（Shell Chemicals）
さらなる実施例
【表５】
0005586946.tif 000018
＊水溶性フィルム内に包まれた液体組成物を含む単位化された投入量の組成物。
【０１３７】
次の組成物は、実験室規模のバッチ内で並びに連続的な液体プロセスのパイロットプラント規模で調製された。続いて、生成物は４５ｍＬの水溶性フィルムパウチに詰められた。当該水溶性フィルムはモノソル社（Monosol）のタイプＭ８６３０である。得られた単位化された投入量の生成物の物理的安定性および外観を、３５℃で４か月間観測した。生成物は良好な安定性を示し、これは組成物からの真珠光沢物質の見に見える破片または沈澱がなかったことを意味している。
【０１３８】
（実施例２０および２１）：
【表６】
0005586946.tif 000019
１  デケスト（登録商標）２０１０：ヒドロキシエチルジエン１，１ジホスホン酸ナトリウム塩（ソルチア社（ex Solutia））
２  エッカート・ピグメンツ社（Eckart Pigments）のプレステージ・シルク・シルバー・スター（粒径範囲：５〜２５μｍ、平均粒径１０μｍ、Ｄ０．９９２９．７０μｍ）
３  メルク社のバイロン・シルバーＣＯ、ヒマシ油に分散された７０％オキシ塩化ビスマス
４  補助剤は、香料、酵素、柔軟仕上げ剤、抑泡剤、光沢剤、酵素安定剤およびその他の任意成分を含む。